(57)【要約】【課題】  メーカや通信会社等により定められた基準を満たした充電池を間違いなく使用可能とする。【解決手段】  携帯電話１は、充電池４０が装着されると、充電池４０の個別認証データと自身の個別認証データとが一致するか認証を行い、双方が一致しない場合には、偽造された充電池４０が装着されたと判断し、その充電池を使用できなくするとともに、無線基地局５０、電話回線網５１、ネットワーク５２等を介して、偽造の充電池に関する情報や携帯電話１の機種番号などの通知情報を管理サーバ５３に通知する。管理サーバ５３は、通知内容をデータベース５４で一括管理する。【選択図】  図１
2006101617.tif 000002
【特許請求の範囲】
【請求項１】
充電池により駆動される電子機器であって、
前記充電池が装着されたことを検出する装着検出手段と、
この装着検出手段により充電池が装着されたことを検出すると、前記充電池が予め定められた基準を満たしているか否かを判別する判別手段と、
前記判別手段により予め定められた基準を満たしていないと判別された場合、前記充電池および当該機器に関する情報を、管理サーバに送信する通知手段と
を具備することを特徴とする電子機器。
【請求項２】
前記充電池は、当該電池固有の情報を記憶する記憶部を更に具備するとともに、当該機器は、使用可能な充電池の固有の情報を記憶する記憶手段を更に具備し、
前記判別手段は、前記記憶部に記憶されている前記情報と、前記記憶手段に記憶されている固有の情報とを比較して、前記充電池が予め定められた基準を満たしているか否かを判別することを特徴とする請求項１記載の電子機器。
【請求項３】
前記充電池は、前記記憶部に記憶されている情報を無線送信する送信部を更に具備し、当該機器は、前記装着検出手段により充電池が装着されたことを検出すると、前記送信部より送信された情報を受信する受信手段を更に具備することを特徴とする請求項２記載の電子機器。
【請求項４】
前記判別手段により前記充電池が予め定められた基準を満たしていないと判別された場合、前記充電池からの電力供給を遮断する電力供給遮断手段を具備することを特徴とする請求項１乃至３の何れかに記載の電子機器。
【請求項５】
充電池により駆動される電子機器の充電池判別方法であって、
前記充電池が装着されたことを検出する装着検出ステップと、
この装着検出ステップにより充電池が装着されたことを検出すると、前記充電池が予め定められた基準を満たしているか否かを判別する判別ステップと、
前記判別手段により予め定められた基準を満たしていないと判別された場合、前記充電池および当該機器に関する情報を、管理サーバに送信する通知ステップと
からなることを特徴とする充電池判別方法。
【請求項６】
充電池により駆動される電子機器の充電池判別プログラムあって、
前記充電池が装着されたことを検出する装着検出ステップと、
この装着検出ステップにより充電池が装着されたことを検出すると、前記充電池が予め定められた基準を満たしているか否かを判別する判別ステップと、
前記判別手段により予め定められた基準を満たしていないと判別された場合、前記充電池および当該機器に関する情報を、管理サーバに送信する通知ステップと
をコンピュータに実行させることを特徴とする充電池判別プログラム。
【発明の詳細な説明】
【技術分野】
【０００１】
本発明は、携帯電話等の電子機器、充電池判別方法および充電池判別プログラムに関する。
【背景技術】
【０００２】
従来より、携帯電話や携帯情報端末などの電子機器においては、長時間使用可能な、小型化が進んだ高性能な充電池が用いられている。当然、充電池の容量や放電特性などは、使用される電子機器で最も効率的に機能するように設計されている。また、充電池を充電する充電器も、その機器で使用されるであろう充電池に合わせて設計されている。つまり、上記電子機器においては、その電子機器のために製造された純正の充電池、および該純正の充電池を充電するための純正の充電器を使用するようにそれぞれが設計されている。言い換えると、汎用の充電池や汎用の充電器では安全かつ確実な動作が保証されていない。
【０００３】
しかしながら、安価に入手できるという理由で、純正の充電池以外の充電池や純正の充電器以外の充電器が使用されることがある。この場合、電子機器や充電池の動作の確実性を保障することができない、すなわち故障発生の原因になるという問題がある。
【０００４】
そこで、例えば、純正の充電器以外での充電を禁止することが可能な充電池および充電器を提供する技術が提案されている（例えば特許文献１参照）。当該従来技術は、充電池側に設けたスイッチ素子を、充電器側のスイッチ制御素子によりオン状態とすることで、出力端子をバッテリセルに接続し、使用可能にするものである。
【特許文献１】特開平１１−２４２９５号公報
【発明の開示】
【発明が解決しようとする課題】
【０００５】
しかしながら、上記特許文献１による従来技術では、充電池が純正であるのか、偽造電池であるかまでは分からない。また、上記従来技術では、その構造および仕組みが単純であり、偽造されやすい。すなわち、従来技術では、偽造された充電池の使用を防止することができず、該偽造された充電池による動作の不確実性や故障の発生を防止することができず、また迅速な対処も難しいという問題があった。
【０００６】
そこで本発明は、メーカや通信会社等により定められた基準を満たした充電池を間違いなく使用することができる電子機器、充電池判別方法および充電池判別プログラムを提供することを目的とする。
【課題を解決するための手段】
【０００７】
上記目的達成のため、請求項１記載の発明による電子機器は、充電池により駆動される電子機器であって、前記充電池が装着されたことを検出する装着検出手段と、この装着検出手段により充電池が装着されたことを検出すると、前記充電池が予め定められた基準を満たしているか否かを判別する判別手段と、前記判別手段により予め定められた基準を満たしていないと判別された場合、前記充電池および当該機器に関する情報を、管理サーバに送信する通知手段とを具備することを特徴とする。
【０００８】
また、好ましい態様として、例えば請求項２記載のように、請求項１記載の電子機器において、前記充電池は、当該電池固有の情報を記憶する記憶部を更に具備するとともに、当該機器は、使用可能な充電池の固有の情報を記憶する記憶手段を更に具備し、前記判別手段は、前記記憶部に記憶されている前記情報と、前記記憶手段に記憶されている固有の情報とを比較して、前記充電池が予め定められた基準を満たしているか否かを判別するようにしてもよい。
【０００９】
また、好ましい態様として、例えば請求項３記載のように、請求項２記載の電子機器において、前記充電池は、前記記憶部に記憶されている情報を無線送信する送信部を更に具備し、当該機器は、前記装着検出手段により充電池が装着されたことを検出すると、前記送信部より送信された情報を受信する受信手段を更に具備するようにしてもよい。
【００１０】
また、好ましい態様として、例えば請求項４記載のように、請求項１乃至３の何れかに記載の電子機器において、前記判別手段により前記充電池が予め定められた基準を満たしていないと判別された場合、前記充電池からの電力供給を遮断する電力供給遮断手段を具備するようにしてもよい。
【００１１】
また、上記目的達成のため、請求項５記載の発明による充電池判別方法は、充電池により駆動される電子機器の充電池判別方法であって、前記充電池が装着されたことを検出する装着検出ステップと、この装着検出ステップにより充電池が装着されたことを検出すると、前記充電池が予め定められた基準を満たしているか否かを判別する判別ステップと、前記判別手段により予め定められた基準を満たしていないと判別された場合、前記充電池および当該機器に関する情報を、管理サーバに送信する通知ステップとからなることを特徴とする。
【００１２】
また、上記目的達成のため、請求項６記載の発明による充電池判別プログラムは、充電池により駆動される電子機器の充電池判別プログラムあって、前記充電池が装着されたことを検出する装着検出ステップと、この装着検出ステップにより充電池が装着されたことを検出すると、前記充電池が予め定められた基準を満たしているか否かを判別する判別ステップと、前記判別手段により予め定められた基準を満たしていないと判別された場合、前記充電池および当該機器に関する情報を、管理サーバに送信する通知ステップとをコンピュータに実行させることを特徴とする。
【発明の効果】
【００１３】
請求項１記載の発明によれば、装着検出手段により、充電池が装着されたことを検出すると、判別手段により、前記充電池が予め定められた基準を満たしているか否かを判別し、予め定められた基準を満たしていないと判別された場合、前記充電池および当該機器に関する情報を、通知手段により、管理サーバに送信するようにしたので、メーカや通信会社等により定められた基準を満たした充電池を間違いなく使用することができるという利点が得られる。
【００１４】
また、請求項２記載の発明によれば、前記判別手段により、前記充電池の記憶部に記憶されている前記情報と、当該機器の記憶手段に記憶されている固有の情報とを比較して、前記充電池が予め定められた基準を満たしているか否かを判別するようにしたので、メーカや通信会社等により定められた基準を満たした充電池を間違いなく使用することができるという利点が得られる。
【００１５】
また、請求項３記載の発明によれば、前記充電池の記憶部に記憶されている情報を送信部により無線送信し、前記装着検出手段により充電池が装着されたことを検出すると、前記送信部より送信された情報を受信する当該機器の受信手段するようにしたので、メーカや通信会社等により定められた基準を満たした充電池を間違いなく使用することができるという利点が得られる。
【００１６】
また、請求項４記載の発明によれば、前記判別手段により前記充電池が予め定められた基準を満たしていないと判別された場合、電力供給遮断手段により、前記充電池からの電力供給を遮断するようにしたので、メーカや通信会社等により定められた基準を満たした充電池を間違いなく使用することができるという利点が得られる。
【００１７】
また、請求項５記載の発明によれば、装着検出ステップで、充電池が装着されたことが検出されると、判別ステップで、前記充電池が予め定められた基準を満たしているか否かを判別し、前記判別手段により予め定められた基準を満たしていないと判別された場合、通知ステップで、前記充電池および当該機器に関する情報を、管理サーバに送信するようにしたので、メーカや通信会社等により定められた基準を満たした充電池を間違いなく使用することができるという利点が得られる。
【００１８】
また、請求項６記載の発明によれば、前記充電池が装着されたことを検出する装着検出ステップと、この装着検出ステップにより充電池が装着されたことを検出すると、前記充電池が予め定められた基準を満たしているか否かを判別する判別ステップと、前記判別手段により予め定められた基準を満たしていないと判別された場合、前記充電池および当該機器に関する情報を、管理サーバに送信する通知ステップとをコンピュータに実行させるようにしたので、メーカや通信会社等により定められた基準を満たした充電池を間違いなく使用することができるという利点が得られる。
【発明を実施するための最良の形態】
【００１９】
以下、本発明の実施の形態を、図面を参照して説明する。
【００２０】
Ａ．第１実施形態の構成
図１は、本発明の第１実施形態に係る携帯電話１のシステム構成を示すブロック図である。携帯電話１に充電池４０が装着されると、携帯電話１と充電池４０との間でＩＤ照合を行い、偽造の充電池であるか否かを判断し、偽造の充電池である場合には、無線基地局５０、電話回線網５１、ネットワーク５２等を介して、偽造の充電池に関する情報や携帯電話１の機種番号などを管理サーバ５３に通知するようになっている。管理サーバ５３は、通知内容をデータベース５４で一括管理する。
【００２１】
次に、図２は、本発明の第１実施形態に係る携帯電話１の蓋を開いた状態と閉じた状態の正面図に相当する外観図である。図２（ａ）は、携帯電話１の蓋を開いた状態を示し、図２（ｂ）は、携帯電話１の蓋を閉じた状態（蓋側）を示し、図２（ｃ）は、携帯電話１の蓋を閉じた状態（裏面側）を示している。携帯電話１は、蓋部２と本体部３とからなる二つ折り構造である。
【００２２】
図２（ａ）において、スピーカ１０１は、蓋部２の前面側に設けられており、電話モードにおける通話時には音声出力を行う。メイン表示部１０２は、カラー液晶であり、ＱＶＧＡの解像度を有し、撮像した画像、動画やダウンロードした画像、動画を表示可能となっている。アンテナ１０３は、本体部の背面に設けられており、伸縮自在となっている。
【００２３】
カメラキー１０４は、電源オン状態におけるカメラモードへの移行、後述する撮像デバイス１３０、ＤＳＰ１２９の起動を指示するためのキーである。メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したりするためのキーである。アドレスキー１０８は、アドレス帳データを表示するためのキーである。
【００２４】
ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部の下部に設けられており、通話時における音声入力を行う。
【００２５】
図２（ｂ）において、サブ表示部１１６は、蓋部の背面に設けられており、携帯電話１が閉じられた状態において、日時表示や、着信報知、メール着信報知、静止画や動画撮影時の補助画面などに用いられる。報知用ＬＥＤ１１７は、着信報知、メール着信報知を行なう。
【００２６】
撮像レンズ１１８は、蓋部２の背面、上記サブ表示部１１６の上部に設けられており、静止画や動画を撮影する。フラッシュ用ＬＥＤ１１９は、静止画や動画撮影時に点灯し、露出不足を防止する。
【００２７】
図２（ｃ）において、メモリカードスロットカバー１１５は、メモリカードスロットをカバーするためのものである。報知スピーカ１２０は、着信や緊急時などを報知するものである。端子１２２は主にクレイドル（不図示）に携帯電話１が装着された際、クレイドルを経由して充電池４０を充電させるためのものである。端子１２３〜１２５はクレイドル（不図示）を経由してパーソナル・コンピュータ等の外部周辺機器とデータ通信を行うためのＵＳＢ規格に対応した端子である。コネクタカバー１２６は内部にＣＤＭＡ方式の移動機の規格に沿ったコネクタ（後述する）を有し、パーソナル・コンピュータ等の外部周辺機器とデータ通信を行うためのものである。
【００２８】
次に、図３は、本実施形態による携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００２９】
通信制御部１３１は、ＷＷＷ接続制御、通信プロトコルに沿ったデータ処理を含む当該機器を制御する。この通信制御部１３１には、ＣＬＥＰ系音声復号処理回路、パケットデータ生成回路、およびパケットデータ復元回路を含む通信データ処理部１３１１と、この通信データ処理部１３１１で処理される音声信号の入出力処理を行い、マイク１１４からの音声を入力して音声信号に変換して、音声信号をスピーカ１０１から出力するためのオーディオインターフェイス１３１２を含む。
【００３０】
また、通信制御部１３１は、本実施の形態においては、偽造の充電池が装着された場合に、後述のシステムＲＯＭ１３２から供給されるプログラムに従って、後述するコネクタインターフェース３１によって受信された充電池４０からの暗号化された個別認証データを復号し、ＩＤメモリ１３３に格納されている個別認証データと比較し、一致するか否かを判断し、充電池４０が偽造されたものか純正のものであるかを判別する。そして、充電池４０が偽造されたものである場合、すなわち個別認証データ自体が受信されない場合や個別認証データが一致しない場合には、装着された偽造充電池に関する情報や携帯電話１の機種番号などを管理サーバ５３に通知する処理を行う。コネクタインターフェース３１は、電磁誘導により、充電池４０から暗号化された個別認証データを受信し、通信制御部１３１に供給する。
【００３１】
システムＲＯＭ１３２は、当該携帯電話において、主に無線通信処理全般を制御するための基本システムプログラムを格納する。１３３はＩＤメモリであり、当該携帯電話１に予め割り当てられ、無線基地局、通信サービス事業者、及びインターネット接続のための固有情報を記憶する。この情報とは、例えば、サービス事業者毎に割り当てられたサービスコードであったり、当該携帯電話１を呼び出すための電話番号であったり、当該携帯電話１のメーカーコードであったり、インターネット接続のためのＩＰアドレス、メールアドレス、個別認証データ、携帯電話１の機種番号が含まれる。コネクタインターフェース３１は、充電池端子３２に充電池４０の端子４０２が接触すると、電磁誘導により、充電池４０から暗号化された個別認証データを受信し、通信制御部１３１に供給する。
【００３２】
なお、上記個別認証データとは、装着された充電池が純正のものであるかを識別するための識別情報であり、適合する充電池に格納されている個別識別データが携帯電話１側の個別識別データと一致した場合、装着された充電池が純正のものであると識別できるようになっている。したがって、純正の充電池が複数の電池メーカから出ている場合には、それぞれの充電池に対応する個別識別データを保持する。      
【００３３】
アドレスデータバス処理部１４８は、周辺回路とのデータの入出力タイミング等を制御・管理する。画像処理部１３４は、当該携帯電話１で撮影した静止画／動画、あるいはネットワークを介してダウンロードした静止画／動画に対して、画像処理を行うための回路部である。ＲＡＭ１３５は、アドレス帳データ、メールデータ等、電話モードにて使用するデータや、カメラモードにて撮影された画像データ、動画データ等、機器内で生成される各種データを記憶する。プログラムＲＯＭ１３６は、書換可能なＦｌａｓｈ  ＲＯＭで構成され、各種アプリケーションプログラムを格納する。
【００３４】
表示モジュール系ドライバ１３７は、サブ表示部１１６、メイン表示部１０２、ＬＥＤ１１７，１１９を駆動させる。ステップモータ１３８は、撮像レンズ１１８を駆動させるためのものである。撮像モジュール１３９は、ＣＣＤ、若しくはＣＭＯＳで構成され、撮像レンズ１１８により集束された映像をカラー画像として取り込む。ＤＳＰ１４０は、撮像モジュール１３９にて取り込まれた画像を符号化処理する。音源ＩＣ１４２は、着信音などを生成する。ＡＭＰ１４３は、音源ＩＣ１４２からの音声信号を増幅し、スピーカ１２０から出力する。
【００３５】
メモリカードスロット１４４はメモリカード（外部記録媒体）１４５を収納し、該メモリカード１４５とのデータ交換のゲートとしての機能を備える。外部インターフェイスコントローラ１４６は、コネクタ１４７、端子１２３〜１２５とのデータ交換を制御する。
【００３６】
次に、図４は、本第１実施形態による充電池４０の略構成を示すブロック図である。図において、充電池４０は、セル４０１、端子４０２、ＲＯＭ４０３、暗号処理部４０４、電磁誘導部４０５およびアンテナ４０６から構成されている。セル４０１は、充電池自体である。端子４０２は、当該充電池４０を上述した携帯電話１に装着した際に、携帯電話１の図示しない端子に接触することで、セル４０１の電力が携帯電話１の各部に供給される。ＲＯＭ４０３は、電池メーカにより製造段階で設定された個別認証データを記憶している。該個別認証データにより、製造メーカ、製造工場、製造年月日、規格などが分かるようになっている。暗号処理部４０４は、当該充電池４０を上述した携帯電話１に装着した際に、上記個別認証データを暗号化し、電磁誘導部４０５へ供給する。電磁誘導部４０５は、上記暗号化された個別認証データをアンテナ４０６から送信する。
【００３７】
Ｂ．第１実施形態の動作
次に、上述した第１実施形態の動作について説明する。ここで、図５は、本第１実施形態による携帯電話１の動作を説明するためのフローチャートである。また、図６は、本第１実施形態による充電池の動作を説明するためのフローチャートである。
【００３８】
携帯電話１では、充電池４０が装着されたか否かを判断し（ステップＳ１０）、充電池４０が装着されると、充電池４０に個別認証データを要求する（ステップＳ１２）。充電池４０では、個別認証データが要求されたか否かを判断し（ステップＳ３０）、携帯電話１から個別認証データが要求されると、ＲＯＭ４０３から個別認証データを読み出し、暗号処理部４０４により暗号化し（ステップＳ３２）、電磁誘導部４０５により、暗号化した個別認証データを携帯電話１に送信する（ステップＳ３４）。
【００３９】
携帯電話１では、通信制御部１３１により、認証プログラムを実行して認証を開始する（ステップＳ１４）。次に、双方の個別認証データが一致するか否か、すなわち充電池が純正であるか、偽造であるかを判断する（ステップＳ１６）。そして、双方の個別認証データが一致した場合には、純正の充電池であると判断し、通常の動作へ進む（ステップＳ１８）。すなわち、装着した充電池４０からの電力を各部へ供給して所定のプログラムを起動する。
【００４０】
一方、双方の個別認証データが一致しなかった場合には、報知用ＬＥＤ１１７または報知スピーカ１２０により警告を発し（ステップＳ２０）、例えば「この電池はメーカ純正ではありません。自動的にメーカおよび○○事業者へ通報されます。」などの警告メッセージをメイン表示部１０２に表示する（ステップＳ２２）。次に、装着されている偽造充電池に関する情報や携帯電話１の機種名、機種番号などの通知情報をＲＡＭ１３５に保存し（ステップＳ２４）、通信制御部１３１、無線部１３０、アンテナ１０３により、管理サーバ５３に通知する（ステップＳ２６）。通知情報には、例えば、認証コードエラー、日時、メーカ、（充電池側の）保護回路の有無などを含めてもよい。そして、強制的に充電池４０からの電力供給を遮断し、電源オフとする（ステップＳ２８）。
【００４１】
管理サーバ５３には、偽造された充電池に関する情報や偽造された充電池が用いられた携帯電話の情報が集まるので、偽造された充電池による携帯電話や充電池自体に不具合が生じた場合に速やかに、かつ適切な対処を施すことが可能になる。
【００４２】
上述した第１実施形態によれば、充電池４０が装着されると、充電池４０の個別認証データと自身の個別認証データとが一致するか認証を行い、双方が一致しない場合には、偽造された充電池４０が装着されたと判断し、その充電池を使用できなくするとともに、通知情報を管理サーバ５３に通知する。これにより、偽造された充電池の使用を防止することが可能となる。また、管理サーバ５３に、偽造された充電池に関する情報や偽造された充電池が用いられた携帯電話の情報が集まるので、偽造された充電池による携帯電話や充電池自体に不具合が生じた場合に速やかに、かつ適切な対処を施すことが可能になる。
【００４３】
Ｃ．第２実施形態
次に、本発明の第２実施形態について説明する。なお、携帯電話１および充電池４０の構成は上述した第１実施形態と同一であるので説明を省略し、動作についてのみ説明する。ここで、図７は、本第２実施形態による携帯電話１の動作を説明するためのフローチャートである。なお、充電池４０の動作も上述した第１実施形態と同一であるので説明を省略する。
【００４４】
携帯電話１では、充電池４０が装着されたか否かを判断し（ステップＳ４０）、充電池４０が装着されると、充電池４０に個別認証データを要求する（ステップＳ４２）。携帯電話１では、通信制御部１３１により、認証プログラムを実行して認証を開始する（ステップＳ４４）。次に、双方の個別認証データが一致するか否か、すなわち充電池が純正であるか、偽造であるかを判断する（ステップＳ４６）。そして、双方の個別認証データが一致した場合には、純正の充電池であると判断し、通常の動作へ進む（ステップＳ５４）。すなわち、装着された充電池４０からの電力を各部へ供給して所定のプログラムを起動する。
【００４５】
一方、双方の個別認証データが一致しなかった場合には、報知スピーカ１２０により警告を発する（ステップＳ４８）。次に、警告を発した回数Ｎが予め設定していた閾値Ｍ（例えば５回）より大きくなったか否かを判断する（ステップＳ５０）。ここで、警告を発した回数Ｎが閾値Ｍ以下である場合には、回数Ｎを１だけインクリメントし（ステップＳ５２）、通常の動作へ進む（ステップＳ５４）。以降、ユーザが、充電池４０を交換するまでは装着された充電池４０からの電力を各部へ供給し、携帯電話１を動作させる。
【００４６】
そして、ユーザが、充電池４０を交換すべく、新たな充電池を取り付けると、上述した図７に示すフローチャートが再び実行される。新たな充電池が取り付けられると、前述したように、ステップＳ４２〜Ｓ４６で、充電池４０の個別認証データと、自身の個別認証データとが一致するか否かを判断する。そして、交換された充電池４０が純正の充電池である場合には、ステップＳ５４以降で、通常の動作へ進む。
【００４７】
一方、双方の個別認証データが一致しなかった場合、すなわち交換された充電池４０が偽造であると判断された場合には、報知スピーカ１２０により警告を発し、警告を発した回数Ｎが予め設定していた閾値Ｍ（例えば５回）より大きくなったか否かを判断する。そして、警告を発した回数Ｎが閾値Ｍ以下である場合には、ステップＳ５２で、回数Ｎを１だけインクリメントし、ステップＳ５４以降の通常の動作へ進む。つまり、警告を発した回数Ｎが閾値Ｍ以下であれば、充電池４０が純正品でなくても使用可能としている。
【００４８】
一方、警告を発した回数Ｎが閾値Ｍを超えると、報知用ＬＥＤ１１７または報知スピーカ１２０により警告を発し（ステップＳ５６）、例えば「Ｎ回警告しております。この電池はメーカ純正ではありません。自動的にメーカおよび○○事業者へ通報されます。」などの警告メッセージをメイン表示部１０２に表示する（ステップＳ５８）。次に、装着されている偽造充電池に関する情報や携帯電話１の機種名、機種番号などの通知情報をＲＡＭ１３５に保存し（ステップＳ６０）、通信制御部１３１、無線部１３０、アンテナ１０３により、管理サーバ５３に通知する（ステップＳ６２）。通知情報には、例えば、認証コードエラー、日時、メーカ、（充電池側の）保護回路の有無などを含めてもよい。そして、強制的に充電池４０からの電力供給を遮断し、電源オフとする（ステップＳ６４）。
【００４９】
管理サーバ５３には、偽造された充電池に関する情報や偽造された充電池が用いられた携帯電話の情報が集まるので、偽造された充電池による携帯電話や充電池自体に不具合が生じた場合に速やかに、かつ適切な対処を施すことが可能になる。
【００５０】
上述した第２実施形態によれば、充電池４０が装着される度に、充電池４０の個別認証データと自身の個別認証データとが一致するか認証を行い、双方が一致しない場合であっても、所定回数を超えなければ、充電池４０が純正品でなくても使用可能とするが、所定回数を超えると、ユーザに警告するとともに、通知情報を管理サーバ５３に通知する。これにより、偽造された充電池の使用を防止することが可能となる。また、管理サーバ５３に、偽造された充電池に関する情報や偽造された充電池が用いられた携帯電話の情報が集まるので、偽造された充電池による携帯電話や充電池に不具合が生じた場合に速やかに、かつ適切な対処を施すことが可能になる。
【００５１】
Ｄ．第３実施形態
次に、本発明の第３実施形態について説明する。なお、携帯電話１および充電池４０の構成は上述した第１実施形態と同一であるので説明を省略し、動作についてのみ説明する。ここで、図８は、本第３実施形態による携帯電話１の動作を説明するためのフローチャートである。なお、充電池４０の動作も上述した第１実施形態と同一であるので説明を省略する。
【００５２】
携帯電話１では、充電池４０が装着されたか否かを判断し（ステップＳ７０）、充電池４０が装着されると、充電池４０に個別認証データを要求する（ステップＳ７２）。携帯電話１では、通信制御部１３１により、認証プログラムを実行して認証を開始する（ステップＳ７４）。次に、双方の個別認証データが一致するか否か、すなわち充電池が純正であるか、偽造であるかを判断する（ステップＳ７６）。そして、双方の個別認証データが一致した場合には、純正の充電池であると判断し、通常の動作へ進む（ステップＳ８４）。すなわち、装着された充電池４０からの電力を各部へ供給して所定のプログラムを起動する。
【００５３】
一方、双方の個別認証データが一致しなかった場合には、報知スピーカ１２０により警告を発する（ステップＳ７８）。次に、警告を発した回数Ｎが予め設定していた閾値Ｍ（例えば５回）より大きくなったか否かを判断する（ステップＳ８０）。ここで、警告を発した回数Ｎが閾値Ｍ以下である場合には、回数Ｎを１だけインクリメントし（ステップＳ８２）、通常の動作へ進む（ステップＳ５４）。以降、ユーザが、充電池４０を交換するまでは装着された充電池４０からの電力を各部へ供給し、携帯電話１を動作させる。
【００５４】
次に、ユーザが、一旦、携帯電話１の電源オフし、再度、電源をオンとすると、上述した図８に示すフローチャートのステップＳ７２以降から再び実行される。電源がオンにされると、前述したように、ステップＳ７２〜Ｓ７６で、充電池４０の個別認証データと、自身の個別認証データとが一致するか否かを判断する。そして、交換された充電池４０が純正の充電池である場合には、純正の充電池４０に交換されたと判断し、ステップＳ８４以降で、通常の動作へ進む。
【００５５】
一方、双方の個別認証データが一致しなかった場合、すなわち電源オフから電源オンまでの間に、充電池４０が交換されなかった、あるいは再度、偽造の充電池が装着されたと判断された場合には、報知スピーカ１２０により警告を発し、警告を発した回数Ｎが予め設定していた閾値Ｍ（例えば５回）より大きくなったか否かを判断する。そして、警告を発した回数Ｎが閾値Ｍ以下である場合には、ステップＳ８２で、回数Ｎを１だけインクリメントし、ステップＳ５４以降の通常の動作へ進む。つまり、警告を発した回数Ｎが閾値Ｍ以下であれば、充電池４０が純正品でなくても使用可能としている。
【００５６】
一方、警告を発した回数Ｎが閾値Ｍを超えると、報知用ＬＥＤ１１７または報知スピーカ１２０により警告を発し（ステップＳ８６）、例えば「Ｎ回警告しております。この電池はメーカ純正ではありません。自動的にメーカおよび○○事業者へ通報されます。」などの警告メッセージをメイン表示部１０２に表示する（ステップＳ８８）。次に、装着されている偽造充電池に関する情報や携帯電話１の機種名、機種番号などの通知情報をＲＡＭ１３５に保存し（ステップＳ９０）、通信制御部１３１、無線部１３０、アンテナ１０３により、管理サーバ５３に通知する（ステップＳ９２）。通知情報には、例えば、認証コードエラー、日時、メーカ、（充電池側の）保護回路の有無などを含めてもよい。そして、強制的に充電池４０からの電力供給を遮断し、電源オフとする（ステップＳ９４）。
【００５７】
管理サーバ５３には、偽造された充電池に関する情報や偽造された充電池が用いられた携帯電話の情報が集まるので、偽造された充電池による携帯電話や充電池自体に不具合が生じた場合に速やかに、かつ適切な対処を施すことが可能になる。
【００５８】
上述した第３実施形態によれば、電源がオンにされる度に、充電池４０の個別認証データと自身の個別認証データとが一致するか認証を行い、双方が一致しない場合であっても、所定回数を超えなければ、充電池４０が純正品でなくても使用可能とするが、所定回数を超えると、ユーザに警告するとともに、通知情報を管理サーバ５３に通知する。これにより、偽造された充電池の使用を防止することが可能となる。また、管理サーバ５３に、偽造された充電池に関する情報や偽造された充電池が用いられた携帯電話の情報が集まるので、偽造された充電池による携帯電話や充電池自体に不具合が生じた場合に速やかに、かつ適切な対処を施すことが可能になる。
【００５９】
なお、上述した本実施形態においては、警告メッセージはメイン表示部１０２に表示させるようにしたが、サブ表示部１１６に表示させてもよい。また、上述した実施形態においては、携帯電話に適用した場合について説明したが、これに限定されず、着脱可能な充電池により駆動される様々な携帯情報端末に適用してもよいことは言うまでもない。
【図面の簡単な説明】
【００６０】
【図１】本発明の実施形態に係る携帯電話１のシステム構成を示すブロック図である。
【図２】携帯電話１の蓋を開いた状態と閉じた状態の正面図に相当する外観図である。
【図３】携帯電話１の回路構成を示すブロック図である。
【図４】充電池４０の略構成を示すブロック図である。
【図５】本第１実施形態による携帯電話１の動作を説明するためのフローチャートである。
【図６】充電池４０の動作を説明するためのフローチャートである。
【図７】本第２実施形態による携帯電話１の動作を説明するためのフローチャートである。
【図８】本第３実施形態による携帯電話１の動作を説明するためのフローチャートである。
【符号の説明】
【００６１】
１  携帯電話（電子機器）
２  蓋部
３  本体部
３１  コネクタインターフェース（受信手段）
４０  充電池
１０１  スピーカ
１０２  メイン表示部
１２０  報知スピーカ
１０４〜１１３、１２７、１２８  入力部
１１４  マイク
１０３  アンテナ（通知手段）
１１７  報知用ＬＥＤ
１１８  撮像レンズ
１３０  無線部（通知手段）
１３１  通信制御部（装着検出手段、判別手段、通知手段、電力供給遮断手段）
１３２  システムＲＯＭ
１３３  ＩＤメモリ（記憶手段）
１３６  プログラムＲＯＭ
１３５  ＲＡＭ
４０３  ＲＯＭ（記憶部）
４０６  アンテナ（送信部）
【図１】
2006101617.tif 000003
【図２】
2006101617.tif 000004
【図３】
2006101617.tif 000005
【図４】
2006101617.tif 000006
【図５】
2006101617.tif 000007
【図６】
2006101617.tif 000008
【図７】
2006101617.tif 000009
【図８】
2006101617.tif 000010